(57)【特許請求の範囲】
【請求項１】
平面視で前面と側面とが直交した机天板をその側部において脚で支持して成る机に使用できるキャビネットであって、
一部が前記机天板の下方に入り込んで残りは前記机天板の手前に露出したはみ出し部となるように配置され得る平面視矩形のキャビネット本体と、前記キャビネット本体におけるはみ出し部の上に配置され得る補助天板とを備えており、前記補助天板は前後左右４本の足を有している一方、前記キャビネット本体のはみ出し部に、前記補助天板の左右位置を変えた状態で前記足が嵌まる２組の穴が左右にずれて形成されている構成であって、
前記キャビネット本体を前記脚の内側面に密接又は近接させて一方の組の穴に前記足を嵌めた状態では、前記補助天板は、前記机天板と同一面を成す高位置に保持されると共に一側面が前記机天板の側端面と略同一面を成すように設定され、
前記キャビネット本体を前記脚の内側面に密接又は近接させて他方の組の穴に前記足を嵌めた状態では、前記補助天板は、前記机天板の下方に位置した低位置に保持されると共に一側面が前記机天板の側端面の内側に位置するように設定されており、
かつ、前記一方の組の穴と他方の組の穴との左右のずれ寸法を前記脚の左右横幅より小さい寸法に設定している、
机用キャビネット。
【請求項２】
机天板とこれを支持する中間脚とを備えており、前記中間脚の左右両側に前記机天板が広がっている、という机に使用できるキャビネットであって、
一部が前記机天板の下方に入り込んで前記中間脚と密着又は密接して残りは前記机天板の手前に露出したはみ出し部となるように配置され得る平面視矩形のキャビネット本体と、前記キャビネットで支持される補助天板とを備えており、前記キャビネット本体のはみ出し部で前記補助天板を支持することにより、前記補助天板が机天板の手前に配置されるようになっている、という構成において、
前記補助天板は前記机天板の前面に手前から重なる形状であり、前記キャビネット本体と補助天板とには、前記補助天板の支持手段が、前記補助天板の位置を変えることによって補助天板が前記机天板の手前に位置して前記机天板と同一面を成す高位置と前記机天板の下方に位置した低位置とに高さ変更可能となるように設けられており、かつ、前記補助天板は高位置に支持された状態で机の脚の左右幅寸法の半分だけキャビネット本体の外側にはみ出し得るように設定されている、
机用キャビネット。
【請求項３】
前記補助天板は、前記キャビネット本体の片面から前記中間脚の左右幅寸法だけはみ出た第１高位置と、前記キャビネット本体の片面から前記中間脚の左右幅寸法Ｔの半分だけはみ出た第２高位置と、前記キャビネット本体の片面から前記中間脚の左右幅寸法Ｔの半分だけはみ出た低位置との３つの位置を選択可能である、
請求項２に記載した机用キャビネット。
【請求項４】
机と請求項１〜３のうちのいずれかに記載したキャビネットとを備えている、
机とキャビネットとの組み合わせ家具。
【発明の詳細な説明】
【技術分野】
【０００１】
本願発明は、机とセットで使用できるキャビネット、及び、机とキャビネットとの組み合わせ家具に関するものである。
【背景技術】
【０００２】
机において机天板の下方の空間に袖キャビネット（ワゴン）を配置することは普通に行われているが、単なる袖キャビネットでは収容容積が小さかったり机上面の増大には全く寄与しないという問題がある。
【０００３】
そこで、キャビネットを前後に長いキャビネット本体とこのキャビネット本体の半分程度の前後長さの補助天板（可動天板）とで構成し、キャビネット本体をその半分程度が机天板の手前にはみ出るように配置して、キャビネット本体のはみ出し部により、机天板と同一面を成す状態で補助天板を支持することが行われている（例えば特許文献１）。また、特許文献１では、補助天板はキャビネット本体の側面から外側にはみ出すことにより、補助天板の側面と机天板の側面とを同一面と成しており、従って体裁が良い。
【特許文献１】特開２００４−１０５２７６号公報
【発明の開示】
【発明が解決しようとする課題】
【０００４】
さて、キャビネット本体を部分的に机天板からはみ出した状態で使用する場合、補助天板は常に机天板と同じ高さで使用したいと欲するとは限らない。例えば、補助天板は机天板の手前に配置しつつも机天板よりも低い高さにすることで机天板への物品の載せ降ろしを容易にしたい場合がある。或いは、キャビネット本体の大部分又は全体を机天板の下方に入り込ませるため、補助天板の高さを低くせざるを得ない場合がある。
【０００５】
他方、特許文献１には補助天板をアジャスタボルトで支持することで高さを微調整できるようにしており、この考え方を広げて、補助天板を位置は変えずに高さだけを大きく変更できるようにすることが考えられる。しかし、アジャスタボルトによる高さ変更はその回転操作が面倒であるという問題や、キャビネットの全体又は大部分を机天板の下方に入れ込むには、補助天板が机の脚に干渉しないようにキャビネット本体を机の脚から離れるように内側に大きくずらさねばならないという問題がある。
【０００６】
更に、左右長さがある程度以上に長い机の場合、複数枚の机天板を直列に配置して左右に隣り合って机天板を共通の中間脚で支持することがあり、この場合、中間脚の箇所に補助天板付きキャビネットを配置したいとの要望があるが、特許文献１はこのような要望には何ら応えていないと言える。
【０００７】
本願発明は、このような現状を改善すべく成されものである。
【課題を解決するための手段】
【０００８】
請求項１の発明は、平面視で前面と側面とが直交した机天板をその側部において脚で支持して成る机に使用できるキャビネットに係るものであり、このキャビネットは、一部が前記机天板の下方に入り込んで残りは前記机天板の手前に露出したはみ出し部となるように配置され得る平面視矩形のキャビネット本体と、前記キャビネット本体におけるはみ出し部の上に配置され得る補助天板とを備えている。
そして、前記補助天板は前後左右４本の足を有している一方、前記キャビネット本体のはみ出し部に、前記補助天板の左右位置を変えた状態で前記足が嵌まる２組の穴が左右にずれて形成されている構成であって、前記キャビネット本体を前記脚の内側面に密接又は近接させて一方の組の穴に前記足を嵌めた状態では、前記補助天板は、前記机天板と同一面を成す高位置に保持されると共に一側面が前記机天板の側端面と略同一面を成すように設定され、
前記キャビネット本体を前記脚の内側面に密接又は近接させて他方の組の穴に前記足を嵌めた状態では、前記補助天板は、前記机天板の下方に位置した低位置に保持されると共に一側面が前記机天板の側端面の内側に位置するように設定されており、
かつ、前記一方の組の穴と他方の組の穴との左右のずれ寸法を前記脚の左右横幅より小さい寸法に設定している。
【０００９】
【００１０】
【００１１】
さて、机がある程度以上に左右寸法が大きくなると、左右脚の間に中間脚を１つ又は複数配置して、中間脚で机天板を支持することが行われている。そして、請求項２の発明は、このような中間脚を有する机に使用するキャビネットに適用したものである。このキャビネットも補助天板は支持手段によって位置を変えることで高さ変更できるが、特徴として、補助天板は高位置に支持された状態で机の脚の左右幅寸法の半分だけキャビネット本体の外側にはみ出し得るように設定されている。
【００１２】
請求項３の発明は請求項２を具体化したもので、この発明は、前記補助天板は、前記キャビネット本体の片面から前記中間脚の左右幅寸法だけはみ出た第１高位置と、前記キャビネット本体の片面から前記中間脚の左右幅寸法Ｔの半分だけはみ出た第２高位置と、前記キャビネット本体の片面から前記中間脚の左右幅寸法Ｔの半分だけはみ出た低位置との３つの位置を選択可能になっている。
本願発明は、請求項４に記載したように、請求項１〜３のいずれかに記載した机とキャビネットとの組み合わせ家具も含んでいる。
【発明の効果】
【００１３】
本願発明では、補助天板は高位置において机天板の上面と側面とを同一面に成すことで高位置での体裁を保持しつつ、補助天板を机天板よりも低い高さに保持できるため、例えば、補助天板の全体を机天板の手前に配置した状態で高さを低くすることで机天板上での作業性を良くしたり、補助天板を机天板の下方に部分的に入り込ませて出っ張りを少なくしたりというようなことが可能になり、このため使い勝手が良い。そして、補助天板は位置を変えることで高位置と低位置とに変更するものであるため、高低の変更をワンタッチ的に行うことができるため高さ変更の作業性に優れている。
【００１４】
特に、高位置で補助天板がキャビネット本体からはみ出す寸法を脚の左右横幅寸法と同じに設定しておくと、キャビネット本体を机の脚の内側面に当てた状態で補助天板の側面と机天板の側面とが同一面になるため、キャビネットの位置決めをごく簡単に行える利点がある。更に本願発明は、補助天板を低くした状態のままでキャビネット本体を机の脚の内側面に密着させ得るため、補助天板を机天板の下方に入り込ませたときに内部空間を有効利用できて好適である。
【００１５】
中間脚で天板を支持する場合、一般には、直列配置された天板をその接合部において中間脚で支持することが一般的であり、従って、左右机天板の当接面のラインが中間脚の左右中間の箇所に位置していることが殆どである。そして、請求項２の構成では、補助天板は高位置において机天板の端面と同一面となるように揃っているため美観に優れている。特に、中間脚の左右両側に補助天板が配置されている場合、天板の突き合わせ面のラインと机天板の突き合わせ面のラインとが前後に一直線に揃うため、特に体裁が良い。
また、請求項３の発明によると、中間脚を挟んだ両側の２枚の補助天板は、互いに密着させて高さを机天板に揃えた状態と、互いに密着させつつ机天板よりも低い高さにした状態とに選択することができ、このため使い勝手がより一層優れている。
【発明を実施するための最良の形態】
【００１６】
次に、本願発明の実施形態を図面に基づいて説明する。図１〜図４では第１実施形態を示し、図５以下では他の実施形態を示している。以下、順次説明する。なお、以下の説明で前後・左右の文言を使用するが、この前後・左右の文言は、特に断らない限り、机を普通の姿勢で使用している人を基準にして使用している。
【００１７】
(1).第１実施形態の概略
図１のうち（Ａ）は第１実施形態を左側前方から見た斜視図、（Ｂ）は第１実施形態を右側方から見た部分斜視図、（Ｃ）は部分正面図である。本実施形態の机１は、平面視で横長長方形の机天板２と、その左右両側部を支持する脚３とを備えている。脚３は左右に開口した枠状に形成されており、スペーサ４を介して机天板２が支持されている。脚３の外側面と机天板２の左右端面とは略同じ面になっている。
【００１８】
キャビネット５はキャビネット本体６と補助天板７とから成っている。キャビネット本体６は前後に細長い形状であり、扉がないオープン方式になっているが、スライド式扉や水平旋回式扉を設けることも可能である。キャビネット本体６の前後中間部にはセンター仕切８を設けており、センター仕切８で上板９の前後中間部が支持されている。
【００１９】
キャビネット５には棚板１０が高さ調節可能に配置されている。図１（Ｃ）に一部だけ示すように、キャビネット本体６の下面には４個のキャスタ１１が取り付けられている。従って、キャビネット５は押し引きして簡単に移動できるワゴンタイプになっている。なお、図１（Ａ）の符号１２では示すのは一般的なワゴンである。
【００２０】
キャビネット本体６は机天板２よりもかなり低い高さであり、後ろ半分が机天板２の下方に入り込み、前半分は机天板２の手前に露出したはみ出し部となるように配置されている。他方、補助天板７は平面視四角形でかつ前後長さはキャビネット本体６の前後長さの略半分程度に設定している（正確には半分よりもやや大きい。）。
【００２１】
補助天板７は、図１に示すような机天板２と同じ高さの高位置と、図２に示すような机天板２よりも低い高さの低位置とに高さを変更することができる。キャビネット本体６の後半部は補助天板７の高低に関係なく机１における右脚２の内側面に密着させており、そして、補助天板７は、高位置では右側面は７ａが机天板２の右側面２ａと同一面を成すように設定されている。すなわち、補助天板７は高位置において、キャビネット本体６の右側面から脚３の左右横幅寸法（或いは厚さ）Ｔだけ右外側にはみ出している。
【００２２】
本実施形態では、補助天板７の左右横幅寸法はキャビネット本体６の左右横幅寸法よりも大きい寸法に設定しており、また、高位置では左側面７ｂがキャビネット本体６の左側面６ｂと同じ位置になり、低位置では左右両側にはみ出るように設定している。従って、補助天板７は左右の位置を変えることで高位置と低位置とに変更される。この点（支持手段の点）を図３及び図４に基づいて説明する。
【００２３】
(2).支持手段の構造
図３のうち（Ａ）は机１と補助天板７とを仮想線で示した平面図、（Ｂ）は補助天板７の模式的な平面図、図４は図３（Ａ）のIV−IV視断面図である。本実施形態では、補助天板７を高さ変更可能に支持する支持手段として、補助天板７の下面に前後左右４本の足１４を設け、キャビネット本体６の前半部には、前記足１４に対応して、４つずつの高位置用穴１５及び高位置ブラケット１６と、４つずつの低位置用穴１７及び低位置用ブラケット１８とを設けている。すなわち、足１４と穴１５，１７とブラケット１６，１８が支持手段の主要要素になっている。
【００２４】
足１４の上端には板１９が溶接されていて、板１９が補助天板７にビス（図示せず）で固定されている。また、足１４は下端寄りのある程度の範囲を除いて雄ねじが形成されたボルトになっており、雄ねじには微調整用のアジャスタナット２０を螺合している。
【００２５】
穴１５，１６はキャビネット本体６の上板９にブッシュ２１を装着することで形成されているが、上板９に単に空けるだけでも良い。他方、ブラケット１６，１８はＬ形に形成されており、センター仕切８の内部に設けた補強板２２に溶接されている（センター仕切８の内側面に溶接しても良い。）。
【００２６】
既述のとおり、補助天板７は高位置においてその左側面７ｂがキャビネット本体６の左側面６ｂと同じ位置に位置しており、従って、補助天板７の左右幅寸法は、キャビネット本体６の左右ほぼ寸法よりも脚３の横幅寸法Ｔだけ大きい。そして、低位置用穴１７は高位置用穴１５の左側にずれているが、このずれ寸法Ｅは脚３の横幅寸法Ｔより小さい寸法になっている。従って、補助天板７は低位置においてキャビネット本体６の左右両側にはみ出している。
【００２７】
なお、補助天板７とキャビネット本体６との左右幅寸法を同じ寸法に設定しても良い。また、本実施形態では補助天板７の前後長さはキャビネット本体６の前後長さの半分の寸法よりもやや大きい寸法になっており、このため、補助天板７は高位置及び低位置の両方においてキャビネット本体６の前面から少し手前にはみ出しているが、キャビネット本体６の前面と同一面と成してもよい。
【００２８】
(3).第１実施形態のまとめ
以上の構成において、補助天板７は高位置において机天板２と同じ高さでしかも右側面７ａは机天板２の右側面２ａと同一面を成しているため体裁が良い。特に、本実施形態のように、補助天板７が高位置のときその左側面７ａをキャビネット本体６の左側面６ａと揃えておくと、美観は一層向上する。
【００２９】
また、補助天板７と机天板２とを同一面にして例えばファイル類を並べると却って扱いにくい場合があるというように、机上におく物品によっては補助天板７と机天板２との間に段差が生じた方が使いとの要望があるが、本願発明では、補助天板７を低位置に変えることでこのような要望に的確に応えることができる。そして、補助天板７は左右位置を変えることで高さをワンタッチ的に変更できるため、作業性に優れている。
【００３０】
なお、キャビネット５は左側に開口しているので、キャビネット５の間口方向と机１の間口方向とは直交している。従って、人がキャビネット５と対向した姿勢と机天板２と対向した姿勢とは９０度ずれている。
【００３１】
机おいては、脚が机天板の側面の内側にずれて配置されている場合も多くあるが、この場合は、補助天板７が高位置においてキャビネット本体６の外側に露出はみ出る寸法は、脚の内側面から机天板の側端面までの距離（換言すると、脚の左右幅寸法と机天板のはみ出し寸法との和）に設定したら良い。
【００３２】
(4).第２実施形態（図５）
図５では第２実施形態を示している。（Ａ）は部分斜視図、（Ｂ）は模式的な平面図である。この図５（Ｂ）においてキャビネット本体６は外形を太い線で示して本願発明の内周縁を平行斜線で示しているが、この図から分かるように、補助天板７はキャビネット本体６と同じ左右横幅であり、また、補助天板７の前後長さ（キャビネット５と対向した姿勢を基準にすると左右横幅寸法）はキャビネット本体６の前後寸法の半分の寸法になっている。
【００３３】
また、この実施形態では、キャビネット本体６の前後両側に穴１５，１７（及び図示しないブラケット）のセットが形成されている。従って、補助天板７を低位置にして机天板２の下方に完全に入り込ませることができ、しかも、その状態でキャビネット本体６は右脚３の内側面に密着させることができる。更にこの実施形態では、キャビネット５を右側に開口した姿勢にして机１の左脚３に密着させた状態に配置すること（左使いとすること）も可能である。なお、第１実施形態でも、穴１５，１７とブラケット１６，１８の群を前後に形成することにより、右使いと左使いとに使い分けることが可能である。
【００３４】
(5).第３〜第４実施形態（図６）
さて、左右長さが長い机では、１枚の机天板の左右中間部に中間脚を配置することがある。或いは、複数枚の机天板を左右に直列に配置して、隣り合った机天板を共通した中間脚で支持することにより、左右に長い多連式の机と成すことである。図６では、このように中間脚３′を有する机装置に適用した実施形態を示している。
【００３５】
すなわち、図６の実施形態では、左右の端脚３の箇所にキャビネット５を配置していることに加えて、中間脚３′を挟んだ左右両側（片側でも良い）にもキャビネット５を配置している（図の矢印はキャビネット５の開口方向を示す。）。そして、補助天板７は、キャビネット本体６の左右横幅寸法よりも脚３，３′の左右横幅寸法Ｔだけ大きい寸法になっている。
【００３６】
そして、（Ａ）（Ｂ）は第３実施形態であって（Ａ）は平面図で（Ｂ）は正面図であるが、この第３実施形態では、中間脚３′の左右両側に配置したキャビネット５の補助天板７は低位置にあり、かつ、中間脚３′の左右横幅寸法Ｔの半分の寸法だけキャビネット本体６の左右両側にはみ出している。従って、中間脚３′を挟んだ左右両側のキャビネット５の補助天板７は側面が互いに突き合わさっており、１枚板状になっている。このため体裁が良い。キャビネット５は前後両側に穴やブラケット等の支持手段が形成されており、従って、この実施形態で使用する４つのキャビネット５は同一種類である。
【００３７】
図６のうち（Ｃ）〜（Ｅ）は第４実施形態で、（Ｃ）は平面図、（Ｄ）は正面図、（Ｅ）は本体の部分平面図である。この第４実施形態では、補助天板７は、キャビネット本体６の片面から脚３，３′の幅寸法Ｔだけはみ出た第１高位置と、キャビネット本体６の片面から脚３，３′の幅寸法Ｔの半分だけはみ出た第２高位置と、キャビネット本体６の片面から脚３，３′の幅寸法Ｔの半分だけはみ出た低位置との３つの位置を選択できる。
【００３８】
このような３つの位置の選択を可能ならしめるため、キャビネット本体６には、第１高位置用穴１５′と第２高位置用穴１５″とが左右に並べて形成されていると共に、低位置用穴１７が第２高位置用穴１５″が前後いずれかにずれた状態で形成されている。従って、この第４実施形態では、中間脚３′を挟んだ両側の２枚の補助天板７は、互いに密着させて高さを机天板２に揃えた状態と、互いに密着させつつ机天板２よりも低い高さにした状態とに選択することができ、このため使い勝手がより一層優れている。
【００３９】
なお、この第４実施形態においては、補助天板７を低位置にするときにはキャビネット本体６は前後いずれかの方向に若干ずらすことになる。また、各キャビネット５は右使いと左使いとを兼用できるようになっており、従って、１種類で足りる。
【００４０】
中間脚３′の箇所に専用的に配置するキャビネットの場合は、補助天板７は高位置で中間脚３′の横幅寸法の半分の寸法だけはみ出すに過ぎない構成にすることも可能である。机天板が左右に連なった多連式の机の場合、隣り合った机天板を金具等で一体に連結すると共に、隣り合った机天板の端部を別々の中間脚で支持することも可能であるが、この場合は、中間脚の箇所に配置するキャビネットは、補助天板が高位置ではみ出る寸法は、中間脚の左右幅寸法と机天板のはみ出し寸法との和になる。
【００４１】
(6).第５実施形態（図７〜図８）
図７及び図８では第５実施形態を示している。図７はキャビネット５の分離斜視図、図８のうち（Ａ）は斜視図、（Ｂ）は模式的な平面図である。この実施形態では、１つのキャビネット本体６と前後２枚の補助天板７とがセットになって使用されている。前後の補助天板７はそれぞれ左右位置を変えることで高さを高低変更できる。高位置において机天板２の側面２ａと同一面を成すことは従前の実施形態と同じである。
【００４２】
この実施形態では、２枚の補助天板７が存在するため、例えばキャビネット５を机１の外側に完全にさせて配置する場合に、キャビネット５の上面の全体を同一面の状態で広くすることができる利点がある。また、右使いと左使いとで一々補助天板７を左右に付け替える必要がない利点もある。
【００４３】
(7).その他
本願発明は、上記の実施形態の他にも様々に具体化できる。例えば本願発明は、机天板２が平面視Ｌ形に形成されている場合にも適用できる。また、机を構成する脚の形態には限定はないのであり、例えば側面視Ｌ型の形態を採用したり、左右に開口していない板状の形態を採用したり、支柱状の形態を採用したりと様々の形態を採用できる。また、補助天板７は、その背面は平面視で直線状に延びている必要があるが、前面は例えば円弧状のような非直線形状であっても良い。
【図面の簡単な説明】
【００４４】
【図１】補助天板を高位置にした第１実施形態の外観を示す図である。
【図２】補助天板を低位置にした第１実施形態の外観を示す図である。
【図３】（Ａ）は机とキャビネットとの平面図、（Ｂ）は補助天板の模式的な平面図  である。
【図４】図３（Ａ）のIV−IV視断面図である。
【図５】第２実施形態を示す図である。
【図６】第３実施形態及び第４実施形態を示す図である。
【図７】第５実施形態の分離斜視図である。
【図８】（Ａ）は第５実施形態の斜視図、（Ｂ）は模式的な平面図である。
【符号の説明】
【００４５】
１  机
２  机天板
３  脚（端脚）
３′  中間脚
５  キャビネット
６  キャビネット本体
７  補助天板
１４  支持手段を構成する足（ロッド）
１５  支持手段を構成する高位置用穴
１６  支持手段を構成する高位置ブラケット
１７  支持手段を構成する低位置用穴
１８  支持手段を構成する低位置用ブラケット
【図１】
0005561907.tif 000002
【図２】
0005561907.tif 000003
【図３】
0005561907.tif 000004
【図４】
0005561907.tif 000005
【図５】
0005561907.tif 000006
【図６】
0005561907.tif 000007
【図７】
0005561907.tif 000008
【図８】
0005561907.tif 000009